(57)【特許請求の範囲】
【請求項１】
テキストデータの少なくとも一部である第１テキストデータを含む画像であって、据置型の第１表示装置が表示する第１画像を生成する第１生成部と、
第１ユーザの頭部に装着される第２表示装置が表示する文字のサイズと、前記第２表示装置の解像度とから、前記第２表示装置が表示可能な最大文字数を決定する決定部と、
前記第１テキストデータの少なくとも一部であり前記最大文字数以下の文字数である第２テキストデータを含む画像であって、前記第２表示装置が表示する第２画像を生成する第２生成部と、を備える、
画像表示システム。
【請求項２】
前記テキストデータから前記第１テキストデータを抽出する第１抽出部をさらに有する、
請求項１に記載の画像表示システム。
【請求項３】
前記決定部は、前記文字のサイズと前記第２表示装置の解像度との組み合わせごとに前記最大文字数を対応付けた対応情報を用いて、前記最大文字数を決定する、
請求項２に記載の画像表示システム。
【請求項４】
前記決定部は、前記第２表示装置の画角に応じて前記文字のサイズを決定し、決定した前記文字のサイズと前記第２表示装置の解像度との組み合わせに対応する前記最大文字数を決定する、
請求項３に記載の画像表示システム。
【請求項５】
前記第２表示装置は、
前記第２画像を表示する第１表示部と、
前記第１表示部から射出された前記第２画像の情報を含む光を投影する投影部と、
外界からの光を透過させる一方、前記投影部により投影された光を反射させる透過反射部と、を有する、
請求項１及至４のうち何れか１項に記載の画像表示システム。
【請求項６】
前記第１テキストデータは、前記第２テキストデータよりも文字数が多い、
請求項１に記載の画像表示システム。
【請求項７】
前記第１抽出部は、第２ユーザの操作に応じて、前記テキストデータのうち前記第１テキストデータとして抽出する範囲を決定する、
請求項２に記載の画像表示システム。
【請求項８】
前記第１抽出部は、前記第１表示装置が表示する文字のサイズに応じて、前記テキストデータのうち前記第１テキストデータとして抽出する範囲を決定する、
請求項２に記載の画像表示システム。
【請求項９】
前記第１画像のうち前記第２テキストデータに相当する範囲を示す情報を前記第１画像上に重畳した第３画像を、前記第１画像および前記第２画像を生成するための操作を受け付ける第３表示装置が有する第２表示部に表示する制御を行う表示制御部をさらに備える、
請求項１に記載の画像表示システム。
【請求項１０】
縮小した前記第２画像を前記第１画像上に重畳した第４画像を、前記第１画像および前記第２画像を生成するための操作を受け付ける第３表示装置が有する第２表示部に表示する制御を行う表示制御部をさらに備える、
請求項１に記載の画像表示システム。
【請求項１１】
テキストデータの少なくとも一部である第１テキストデータを含む画像であって、据置型の第１表示装置が表示する第１画像を生成する第１生成部と、
第１ユーザの頭部に装着される第２表示装置が表示する文字のサイズと、前記第２表示装置の解像度とから、前記第２表示装置が表示可能な最大文字数を決定する決定部と、
前記第１テキストデータの少なくとも一部であり前記最大文字数以下の文字数である第２テキストデータを含む画像であって、前記第２表示装置が表示する第２画像を生成する第２生成部と、を備える、
表示装置。
【請求項１２】
ユーザの頭部に装着される表示装置であって、
前記表示装置とは異なる据置型の表示装置が表示する第１画像に含まれる第１テキストデータを取得する取得部と、
前記表示装置が表示する文字のサイズと、前記表示装置の解像度とから、前記表示装置が表示可能な最大文字数を決定する決定部と、
前記第１テキストデータの少なくとも一部であり前記最大文字数以下の文字数である第２テキストデータを含む画像であって、前記表示装置が表示する第２画像を生成する生成部と、を備える、
表示装置。
【請求項１３】
テキストデータの少なくとも一部である第１テキストデータを含む画像であって、据置型の第１表示装置に表示する第１画像を生成する第１生成ステップと、
第１ユーザの頭部に装着される第２表示装置が表示する文字のサイズと、前記第２表示装置の解像度とから、前記第２表示装置が表示可能な最大文字数を決定する決定ステップと、
前記第１テキストデータの少なくとも一部であり前記最大文字数以下の文字数である第２テキストデータを含む画像であって、前記第２表示装置に表示する第２画像を生成する第２生成ステップと、を含む、
情報処理方法。
【発明の詳細な説明】
【技術分野】
【０００１】
本発明の実施形態は、画像表示システム、表示装置および情報処理方法に関する。
【背景技術】
【０００２】
テレビ放送の収録やコンサート、講演などにおいて電子的に原稿や歌詞を表示するプロンプターと呼ばれるシステムが知られている。プロンプターはテレビ放送用、コンサート用、講演用の大きく３種類に分けられる。講演用のプロンプターは、演台の前や上に置かれた液晶ディスプレイにスピーチ用の原稿の画像を表示し、その原稿の画像の情報を含む光をスタンド式のハーフミラーで反射させて演者に伝達する。演者が顔を上げたまま原稿を視認することができるため、聴衆を見ながら説得力のあるスピーチを行うことが可能になる。原稿のスクロールやページ送りなどの操作は、専任のオペレータが、専用のソフトがインストールされるとともに演台から離れた場所に置かれたＰＣを操作することで行われる。
【０００３】
しかし、プロンプターは演台の前や上に据え置きされ、原稿が見える位置が限定されるため、演者が演台の前から動くことができない。また、演者の身長などを考慮し、事前に講演会場でハーフミラーの高さや向き、角度などを調整しなければならない。
【０００４】
これらの問題を解決する方法として、演者がメガネ型端末を装着し、そのメガネ型端末に原稿の画像を提示する方法が考えられる。この方法によれば、演者は自由に動き回りながら原稿を視認することができる。
【０００５】
メガネ型端末を利用してユーザに画像を提示する技術としては様々な技術が知られており、例えば据置型のプロジェクタによってスクリーンに投影されたプレゼンテーション画像のうち、演者に指し示された回数が所定回数以上の領域を検出し、その領域に関連付けられた補助画像（その領域を説明する際のスピーチ原稿）をメガネ型端末に表示する技術などが知られている。
【先行技術文献】
【特許文献】
【０００６】
【特許文献１】特許第５２６２６８８号公報
【発明の概要】
【発明が解決しようとする課題】
【０００７】
しかし、メガネ型端末では、ユーザの視界のうち、メガネ型端末の小型ディスプレイに表示された画像が観察される領域のサイズ（メガネ型端末の画面サイズ）に制約があるため、据置型のプロンプターと同じ画像をメガネ型端末の小型ディスプレイに表示した場合、据置型のプロンプターに比べて原稿が読み難いという問題がある。そして、演者が読み難い原稿を見続けることで眼の疲労を発症するため、長時間の講演に使うことは難しいという問題を引き起こしていた。
【０００８】
本発明が解決しようとする課題は、演者の動きを制限しないことと、読み易い原稿の画像を演者に提示することの両立を達成可能な画像表示システム、表示装置および情報処理方法を提供することである。
【課題を解決するための手段】
【０００９】
実施形態の画像表示システムは、第１生成部と決定部と第２生成部とを備える。第１生成部は、テキストデータの少なくとも一部である第１テキストデータを含む画像であって、据置型の第１表示装置が表示する第１画像を生成する。決定部は、第１ユーザの頭部に装着される第２表示装置が表示する文字のサイズと、第２表示装置の解像度とから、第２表示装置が表示可能な最大文字数を決定する。第２生成部は、第１テキストデータの少なくとも一部であり最大文字数以下の文字数である第２テキストデータを含む画像であって、第２表示装置が表示する第２画像を生成する。
【図面の簡単な説明】
【００１０】
【図１】第１実施形態の画像表示システムの構成例を示す図。
【図２】第１実施形態の第１テキストデータの抽出方法を説明するための図。
【図３】第１実施形態の第１画像の生成方法を説明するための図。
【図４】第１実施形態の第２テキストデータの抽出方法を説明するための図。
【図５】第１実施形態の第２画像の生成方法を説明するための図。
【図６】第１実施形態の操作端末のハードウェア構成の一例を示す図。
【図７】第１実施形態のメガネ型端末の各構成要素の配置の一例を示す図。
【図８】変形例の画像表示システムの構成例を示す図。
【図９】変形例の画像表示システムの構成例を示す図。
【図１０】第２実施形態の操作端末の構成の一例を示す図。
【図１１】第２実施形態の第３画像と第４画像の生成方法を説明するための図。
【図１２】変形例の操作端末の構成の一例を示す図。
【発明を実施するための形態】
【００１１】
以下、添付図面を参照しながら、各実施形態に係る画像表示システム、表示装置および情報処理方法の実施形態を詳細に説明する。
【００１２】
図１は、本実施形態の画像表示システム１の概略構成例を示すブロック図である。図１に示すように、画像表示システム１は、操作端末２と、据置型端末３と、メガネ型端末４とを備える。操作端末２と据置型端末３は、有線あるいは無線を介して、直接的または間接的に、相互に通信することが可能である。また、操作端末２とメガネ型端末４は、有線あるいは無線を介して、直接的または間接的に、相互に通信することが可能である。操作端末２と据置型端末３との間の通信方法、および、操作端末２とメガネ型端末４との間の通信方法は任意であり、いずれの通信方法を用いても構わないものとする。
【００１３】
操作端末２は、オペレータ（以下の説明では「第２ユーザ」と称する場合がある）の操作に応じて、据置型端末３が表示する画像（以下の説明では「第１画像」と称する場合がある）、および、メガネ型端末４が表示する画像（以下の説明では「第２画像」と称する場合がある）を生成する端末である。操作端末２は、例えばデスクトップ型ＰＣ、ノート型ＰＣ、タブレット、スマートフォン、携帯電話、腕時計型端末、ネックレス型端末などで構成される。この例では、操作端末２は、第１画像および第２画像を生成するための操作（後述のスクロール操作等）を受け付ける端末であると考えることもできる。
【００１４】
図１に示すように、操作端末２は、入力部２１と、受付部２２と、第１抽出部２３と、第１生成部２４と、第２表示部２５と、画像反転部２６と、決定部２７と、第２抽出部２８と、第２生成部２９とを備える。
【００１５】
入力部２１は、第２ユーザ（オペレータ）の操作に用いられる操作デバイスであり、例えばマウスやキーボードなどで構成される。受付部２２は、入力部２１を介した操作を受け付ける。
【００１６】
第１抽出部２３は、テキストデータから、テキストデータの少なくとも一部である第１テキストデータを抽出する。図２の例では、テキストデータのうち点線で囲まれた範囲が、第１テキストデータとして抽出する範囲を示している。この例では、テキストデータは、メガネ型端末４を装着した演者（以下の説明では「第１ユーザ」と称する場合がある）が行う演説、スピーチ、歌などの元となる原稿のテキストデータである。ここでは、テキストデータは、第２表示部２５では表示し切れないサイズのデータであることを前提として説明する。なお、第１抽出部２３がテキストデータを取得する方法は任意であり、例えば第１抽出部２３は、サーバ装置などの外部装置からテキストデータを取得することもできるし、テキストデータが予め格納された不図示のメモリにアクセスしてテキストデータを取得することもできる。
【００１７】
本実施形態では、第１抽出部２３は、第２ユーザの操作に応じて、テキストデータのうち第１テキストデータとして抽出する範囲を決定する。例えば受付部２２で受け付けた操作が、第２表示部２５に表示し切れていない部分を第２表示部２５に表示するためにテキストデータを上下左右の何れかに移動させるスクロール操作である場合は、第１抽出部２３は、当該操作に応じてテキストデータをスクロールさせて、テキストデータのうちスクロール位置によって規定される範囲（第２表示部２５に表示可能な範囲）を、第１テキストデータの抽出範囲として決定することができる。なお、テキストデータのうち第１テキストデータとして抽出する範囲を決定するための操作は任意であり、スクロール操作に限られるものではない（例えばページ送り操作などであってもよい）。
【００１８】
また、例えば第１抽出部２３は、後述の据置型端末３が表示する文字のサイズに応じて、テキストデータのうち第１テキストデータとして抽出する範囲を決定してもよい。
【００１９】
次に、図１に示す第１生成部２４について説明する。第１生成部２４は、テキストデータの少なくとも一部である第１テキストデータを含む画像であって、据置型端末３が表示する第１画像を生成する。より具体的には、第１生成部２４は、第１抽出部２３により抽出された第１テキストデータを画像に変換することで第１画像を生成する。図３の例では、第１生成部２４は、第１抽出部２３により抽出された第１テキストデータを画像に変換し、その変換した画像と背景となる画像とを重畳させて第１画像を生成する。ここでは、「第１テキストデータを含む画像」とは、第１テキストデータを画像に変換することで得られた画像（第１テキストデータに相当する画像）を含む画像を意味していると考えてよい。
【００２０】
第１画像では、第１テキストデータのレイアウト（行数、列数、改行位置、文字間隔、行間隔など）が維持される。図３の例では、第１画像の前景色（文字色）が白、背景色が灰色になっているが、これらの色に限定されるものではない。また、例えばテキストデータにおいて文字色が指定されている場合、その色を反映させて第１画像を生成することもできる。
【００２１】
以上のようにして、第１生成部２４は、第２ユーザの操作に応じて第１テキストデータが抽出されるたびに、その抽出された第１テキストデータを含む第１画像を生成する。そして、第１生成部２４は、生成した第１画像を、第２表示部２５および画像反転部２６の各々に供給する。
【００２２】
図１の説明を続ける。図１に示す第２表示部２５は、第１生成部２４により生成された第１画像を表示するディスプレイ装置である。ディスプレイ装置の方式は任意であり、例えば液晶型のディスプレイ装置や有機ＥＬ型のディスプレイ装置であってもよい。図１の例では、第２ユーザは、第２表示部２５に表示された画像を確認しながら、スクロールやページ送りなどの操作を行うことで、第１画像を切り替えることができる。
【００２３】
図１に示す画像反転部２６は、第１生成部２４により生成された第１画像の左右を反転させた鏡像画像を生成し、生成した鏡像画像を据置型端末３へ供給する。この例では、据置型端末３はプロンプターに相当する端末である。
【００２４】
図１に示すように、据置型端末３は、第３表示部３１と、透過反射部３２とを有する。第３表示部３１は、画像反転部２６から供給された鏡像画像を表示するディスプレイ装置であり、演台の前や上に設置される。第３表示部３１は、例えば液晶型のディスプレイ装置や有機ＥＬ型のディスプレイ装置で構成される。透過反射部３２は、第３表示部３１から射出された鏡像画像の情報を含む光の一部を反射して演者の方へ導くスタンド式のハーフミラーで構成される。鏡像画像は、ハーフミラーで反射することで左右が反転する（つまり、鏡像画像は第１画像に戻る）ので、演者に対しては、第１画像の情報を含む光が伝達される。これにより、演者は第１画像を視認することができる。
【００２５】
なお、例えば据置型端末３は、透過反射部３２を有しない構成であってもよい。この場合、画像反転部２６は不要となる。また、本実施形態のように画像反転部２６が必要な場合、画像反転部２６は、操作端末２や据置型端末３とは別に独立して設けられてもよい。
【００２６】
再び操作端末２の説明を続ける。図１に示す決定部２７は、後述のメガネ型端末４が表示する文字のサイズ（以下の説明では単に「文字サイズ」と称する場合がある）と、後述のメガネ型端末４が有する第１表示部４１の解像度（画素数）とから、メガネ型端末４が表示可能な最大の文字数を示す最大文字数を決定する。より具体的には、決定部２７は、文字サイズと第１表示部４１の解像度との組み合わせごとに（複数の組み合わせごとに）最大文字数を対応付けた対応情報（例えばテーブル形式の情報）を用いて、最大文字数を決定する。
【００２７】
本実施形態では、決定部２７は、メガネ型端末４のハードウェア仕様で規定されている画角（メガネ型端末４を装着した第１ユーザの視界のうち第１表示部４１に表示された画像が見える範囲を表す角度）を取得し、その取得した画角に応じて、適切な文字サイズ（第１ユーザが読み易い文字サイズ）を決定する。そして、決定部２７は、対応情報を参照して、決定した文字サイズと、第１表示部４１の解像度との組み合わせに対応する最大文字数を決定することができる。
【００２８】
なお、決定部２７は、メガネ型端末４から、当該メガネ型端末４の画角を示す情報を取得することもできるし、外部装置（例えばサーバ等）から、メガネ型端末４の画角を示す情報を取得することもできる。また、決定部２７は、メガネ型端末４から、当該メガネ型端末４が有する第１表示部４１の解像度を示す情報を取得することもできるし、外部装置から、第１表示部４１の解像度を示す情報を取得することもできる。なお、上述の対応情報の格納場所は任意であり、例えば操作端末２に格納される形態であってもよいし、外部装置等に格納される形態であってもよい。
【００２９】
また、文字サイズに関しては、ユーザ（この例では第２ユーザ）が任意に指定する形態であってもよい。例えば、決定部２７は、受付部２２で受け付けた操作に応じて、文字サイズを決定することもできる。そして、決定部２７は、上述の対応情報を参照して、決定した文字サイズと、第１表示部４１の解像度との組み合わせに対応する最大文字数を決定することができる。
【００３０】
次に、図１に示す第２抽出部２８について説明する。第２抽出部２８は、第１抽出部２３により抽出された第１テキストデータから、決定部２７により決定された最大文字数以下の文字を抽出することで、第１テキストデータの少なくとも一部である第２テキストデータを抽出する。この例では、第２テキストデータは第１テキストデータの一部であり、第１テキストデータは、第２テキストデータよりも文字数が多い。図４の例では、第１テキストデータのうち点線で囲まれた範囲が、第２テキストデータとして抽出する範囲を示している。第２テキストデータとして抽出する範囲は、上述の最大文字数によって規定される。例えば上述の最大文字数が５２文字（メガネ型端末４に表示する際のレイアウトの一例として１３列×４行）の場合、第２抽出部２８は、第１テキストデータから５２文字以下の文字を抽出することで、第２テキストデータを抽出する。第１ユーザは、プロンプターとして機能する据置型端末３に表示される複数行のテキスト（第１テキストデータに相当）の中段付近を見ていることが多い（そうなるように第２ユーザがテキストデータのスクロールやページ送りなどの操作をしている）ので、第１テキストデータの中段付近と、その前後の所定数の行を含む範囲から、５２文字以下の文字を抽出することが望ましい。
【００３１】
図４の例では、第１テキストデータの中段に位置する「Ｈ」の行から１２文字、「Ｈ」の行の前段の「Ｇ」の行から１４文字、「Ｈ」の行の後段の「Ｉ」の行から２２文字が抽出され、合計４８文字が第２テキストデータとして抽出されている。なお、これに限らず、第１テキストデータのうち第２テキストデータを抽出する範囲は任意に設定可能であり、例えば第１テキストデータの最上段の行から下へ向かって順番に所定数の行を含む範囲から、最大文字数以下の文字を抽出することもできるし、第１テキストデータの最下段の行から上へ向かって順番に所定数の行を含む範囲から、最大文字数以下の文字を抽出することもできる。
【００３２】
次に、図１に示す第２生成部２９について説明する。第２生成部２９は、第１テキストデータの少なくとも一部である第２テキストデータを含む画像であって、第１ユーザの頭部に装着されるメガネ型端末４が表示する第２画像を生成する。より具体的には、図５に示すように、第２生成部２９は、第２抽出部２８により抽出された第２テキストデータを画像に変換することで第２画像を生成する。本実施形態では、第２生成部２９は、複数種類の最大文字数ごとにレイアウトを対応付けたレイアウト情報を参照して、決定部２７により決定された最大文字数に対応するレイアウトを特定し、第２抽出部２８により抽出された第２テキストデータのレイアウトを、その特定したレイアウトに変更する。そして、第２生成部２９は、レイアウトを変更した後の第２テキストデータを画像に変換することで第２画像を生成し、その生成した第２画像をメガネ型端末４に供給する。
【００３３】
図５の例では、上述のレイアウト情報において、最大文字数「５２」に対応するレイアウトは「１３列×４行」である。この場合、まず第２生成部２９は、レイアウト情報を参照して、決定部２７により決定された最大文字数「５２」に対応するレイアウト「１３列×４行」を特定する。そして、第２生成部２９は、第２抽出部２８により抽出された第２テキストデータのレイアウト（図５の例では「２２列×３行」）を、最大文字数「５２」に対応するレイアウト「１３列×４行」に変更する。
【００３４】
図５の例では、１４個の文字「Ｇ」のうち１３個を第１行目に配置し、残りの１個を第２行目の第１番目の文字に対応する位置に配置している。第２行目の第２番目の文字に対応する位置は空白として、第２行目の第３番目〜第１３番目の文字の各々に対応する位置に、１２個の文字「Ｈ」のうち１１個の文字を順番に配置する。そして、１２個の文字「Ｈ」のうち残りの１個を第３行目の第１番目の文字に対応する位置に配置している。第３行目の第２番目の文字に対応する位置は空白として、第３行目の第３番目の文字〜第１３番目の文字の各々に対応する位置に、２２個の文字「Ｉ」のうち１１個の文字を順番に配置する。そして、２２個の文字「Ｉ」のうち残り１１個を第４行目に配置している。
【００３５】
第２生成部２９は、以上のようにレイアウトを変更した後の第２テキストデータを画像に変換し、その変換した画像と背景となる画像とを重畳させて第２画像を生成する。ここでは、「第２テキストデータを含む画像」とは、第２テキストデータを画像に変換することで得られた画像（第２テキストデータに相当する画像）を含む画像を意味していると考えてよい。図５の例では、第２画像の前景色（文字色）が白、背景色が灰色になっているが、これらの色に限定されるものではない。また、例えばテキストデータにおいて文字色が指定されている場合、その色を反映させて第２画像を生成することもできる。
【００３６】
なお、上述のレイアウト情報の格納場所は任意であり、例えば操作端末２に格納される形態であってもよいし、外部サーバ等に格納される形態であってもよい。
【００３７】
図６は、操作端末２のハードウェア構成の一例を示す図である。図６に示すように、操作端末２は、ＣＰＵ２０１と、ＲＯＭ２０２と、ＲＡＭ２０３と、据置型端末３と通信するための通信Ｉ／Ｆ２０４と、メガネ型端末４と通信するための通信Ｉ／Ｆ２０５と、前述の入力部２１と、前述の第２表示部２５とを備えている。上述した操作端末２の各部の機能（受付部２２、第１抽出部２３、第１生成部２４、画像反転部２６、決定部２７、第２抽出部２８、第２生成部２９）は、ＣＰＵ２０１がＲＯＭ２０２等に格納されたプログラムをＲＡＭ２０３上に読み出して実行することにより実現される。なお、これに限らず、例えば上述した操作端末２の各部の機能のうちの少なくとも一部が専用のハードウェア回路（例えば半導体集積回路等）で実現される形態であってもよい。
【００３８】
なお、操作端末２で実行されるプログラムを、インターネット等のネットワークに接続されたコンピュータ上に格納し、ネットワーク経由でダウンロードさせることにより提供するようにしてもよい。また、操作端末２で実行されるプログラムを、インターネット等のネットワーク経由で提供または配布するようにしてもよい。さらに、操作端末２で実行されるプログラムを、ＲＯＭ等の不揮発性の記録媒体に予め組み込んで提供するようにしてもよい。
【００３９】
次に、メガネ型端末４について説明する。メガネ型端末４は、第１ユーザの頭部に装着されるとともに、小型のディスプレイに表示する画像を第１ユーザの眼前の光学系に投射することで当該画像を第１ユーザに提示することが可能な表示装置である。メガネ型端末４は、非透過型と透過型の２種類に大別されるが、ここでは後者の透過型に限定される。透過型は小型であることが多いが、大型のものであっても構わない。また、メガネ型端末４には片方の眼にだけ情報を表示する単眼型と、両方の眼に情報を表示する両眼型が存在するが、ここでは何れを用いても構わない。
【００４０】
図７は、メガネ型端末４に含まれる各要素の具体的な配置例を示す模式図である。図７の例では、メガネ型端末４は両眼型であるが、これに限られるものではない。図１および図７に示すように、メガネ型端末４は、第１表示部４１と投影部４２と透過反射部４３とを備える。
【００４１】
第１表示部４１は、第２画像を表示するディスプレイ装置であり、例えば液晶型のディスプレイ装置や有機ＥＬ型のディスプレイ装置で構成される。第１表示部４１の各画素から射出された光は投影部４２に入射する。
【００４２】
投影部４２は、第１表示部４１の各画素から射出された光の焦点距離や光路を変更し、透過反射部４３に向けて投影する。この例では、投影部４２は、第１表示部４１から射出された第２画像の情報を含む光を投影する機能を有している。投影部４２は、複数のレンズ、プリズム、ミラー等の光学素子によって構成される。これらの光学素子は直線上に配置されていなくても構わない。
【００４３】
透過反射部４３は、透過反射部４３を挟んで第１ユーザの眼１５０とは反対側の領域である外界からの光を透過させる一方、投影部４２により投影された光を反射させる。透過反射部４３で反射した光が第１ユーザの眼１５０に導かれることにより、第１ユーザは第２画像を視認することができる。透過反射部４３は、例えばハーフミラーで構成される。
【００４４】
以上に説明したように、本実施形態では、テキストデータの少なくとも一部である第１テキストデータを含む第１画像を生成して据置型端末３に表示させ、第１テキストデータの少なくとも一部である第２テキストデータを含む第２画像を生成してメガネ型端末４に表示させる。より具体的には、本実施形態では、メガネ型端末４の画角に応じて決まる文字サイズ（推奨文字サイズ）と、メガネ型端末４が有する第１表示部４１の解像度とから、メガネ型端末４が表示可能な最大の文字数を示す最大文字数を決定し、上述の第１テキストデータから当該最大文字数以下の文字を抽出することで、第２テキストデータを抽出する。そして、第２テキストデータを含む第２画像を生成し、その生成した第２画像をメガネ型端末４に表示させる。これにより、メガネ型端末４を装着した第１ユーザに対して、読み易い原稿の画像を提示することができるので、第１ユーザの眼の疲労を軽減することができる。したがって、本実施形態のメガネ型端末４は、長時間の講演にも使用することができる。
【００４５】
また、上述したように、本実施形態では、複数種類の最大文字数ごとにレイアウトを対応付けたレイアウト情報を参照して、文字サイズと第１表示部４１の解像度とから決定した最大文字数に対応するレイアウトを特定する。そして、第１テキストデータから抽出した第２テキストデータのレイアウトを、その特定したレイアウトに変更し、レイアウトを変更した後の第２テキストデータを含む第２画像を生成してメガネ型端末４に表示させる。すなわち、最大文字数に応じて適切なレイアウトに変更された原稿の画像を、メガネ型端末４を装着した第１ユーザに提示することができるため、当該第１ユーザに対して、より読み易い原稿の画像を提示することができる。
【００４６】
さらに、本実施形態では、上述のメガネ型端末４を装着した第１ユーザは、プロンプターとして機能する据置型端末３に表示された原稿の画像を視認できない範囲に移動しても、メガネ型端末４から提示される原稿の画像を見ながら演説等を行うことができる。つまり、演者である第１ユーザは、自由に動き回りながら演説等を行うことができる。
【００４７】
以上より、本実施形態によれば、演者の動きを制限しないことと、読み易い原稿の画像を演者に提示することの両立を達成することができる。
【００４８】
（第１実施形態の変形例１）
例えば、第１テキストデータから抽出した第２テキストデータのレイアウトを、最大文字数に対応するレイアウトに変更しない形態であってもよい。
【００４９】
また、例えば上述の第２抽出部２８が設けられず、第２生成部２９は、第１生成部２４により生成された第１画像のうち、メガネ型端末４の画角に応じた範囲（メガネ型端末４が視認性の高い画像を表示可能な範囲）の画像を切り出し、その切り出した画像を第２画像として生成することもできる。この場合、第１画像から切り出した画像に含まれるテキスト画像が、第２テキストデータに相当する画像となり、その切り出した画像は、第２テキストデータを含む画像であると捉えることができる。要するに、第２生成部２９は、第１テキストデータの少なくとも一部である第２テキストデータを含む画像であって、第１ユーザの頭部に装着されるメガネ型端末４が表示する第２画像を生成する機能を有する形態であればよい。
【００５０】
（第１実施形態の変形例２）
第２画像の前景色（文字色）や背景色は、任意に変更可能である。例えば第２生成部２９は、受付部２２で受け付けた操作に応じて、第２画像の文字色や背景色を設定することもできる。
【００５１】
また、例えば第２生成部２９は、メガネ型端末４を装着した第１ユーザの視線方向の領域（第１ユーザの視野に相当する領域）を撮像して得られた画像（以下、「撮像画像」と称する）に基づいて、第２画像の背景色を決定することもできる。この場合、メガネ型端末４には、当該メガネ端末４を装着した第１ユーザの視線方向の領域を撮像する撮像部（例えば可視光カメラなどでもよい）が設けられ、第２生成部２９は、撮像部の撮像により得られた撮像画像を取得する。そして、取得した撮像画像に含まれる色（例えば撮像画像の中に最も多く含まれる色でもよい）と同系統の色を、第２画像の背景色として決定することもできるし、色相環（color  circle）において撮像画像に含まれる色と反対側に位置する色（撮像画像に含まれる色と補色の関係になる色）を、第２画像の背景色として決定することもできる。
【００５２】
（第１実施形態の変形例３）
例えばメガネ型端末４が、上述の第２画像を生成する機能を有する形態であってもよい。図８の例では、上述の決定部２７、第２抽出部２８および第２生成部２９は、操作端末２ではなくメガネ型端末４に設けられ、メガネ型端末４は、第１テキストデータを取得する取得部５０をさらに備える。
【００５３】
図８の例では、取得部５０は、第１抽出部２３から第１テキストデータを取得しているが、これに限らず、例えば取得部５０は、受付部２２で受け付けた操作を示す操作情報と、テキストデータとを取得し、その取得した操作情報とテキストデータとに基づいて、第１テキストデータを抽出する形態であってもよい。より具体的には、取得部５０は、取得した操作情報に応じて、取得したテキストデータのうち第１テキストデータとして抽出する範囲を決定することができる。要するに、取得部５０は、メガネ型端末４とは異なる据置型端末３が表示する第１画像に含まれる第１テキストデータを取得する機能を有するものであればよい。その他の構成は上述の第１実施形態と同様である。
【００５４】
また、例えば操作端末２とメガネ型端末４との間に介在する別の端末５が、上述の第２画像を生成する機能を有する形態であってもよい。端末５は、例えばスマートフォンなどであってもよい。図９の例では、操作端末２とメガネ型端末４との間に介在する端末５は、上述の取得部５０、決定部２７、第２抽出部２８および第２生成部２９を有している。その他の構成は上述の第１実施形態と同様である。
【００５５】
要するに、実施形態の画像表示システムは、上述の第１生成部２４と上述の第２生成部２９とを少なくとも有する形態であればよい。すなわち、上述の第２生成部２９が搭載される装置は任意に変更可能であり、例えば操作端末２であってもよいし、メガネ型端末４であってもよいし、操作端末２とメガネ型端末４との間に介在する端末５であってもよい。
【００５６】
（第１実施形態の変形例４）
上述の第１実施形態では、操作端末２、および、プロンプターとして機能する据置型端末３の各々の台数は１台ずつである場合を例に挙げて説明したが、これに限らず、操作端末２と据置型端末３は複数台で構成されてもよい。
【００５７】
（第２実施形態）
次に、第２実施形態について説明する。図１０は、第２実施形態の操作端末２００の構成の一例を示す図である。図１０に示すように、操作端末２００は、表示制御部６０をさらに有する点で上述の第１実施形態と相違する。その他の構成は上述の第１実施形態と同様である。
【００５８】
図１１の（Ａ）に示すように、表示制御部６０は、第１画像のうち第２テキストデータに相当する範囲を示す情報を、第１画像上に重畳した第３画像を第２表示部２５に表示する制御を行う。これにより、操作端末２００を操作する第２ユーザ（オペレータ）は、プロンプターとして機能する据置型端末３の表示内容、および、メガネ型端末４の表示内容の両方を同時に把握しながら、スクロールやページ送りなどの操作をすることが可能になる。
【００５９】
（第２実施形態の変形例１）
例えば図１１の（Ｂ）に示すように、縮小した第２画像を第１画像上に重畳した第４画像を第２表示部２５に表示する制御を行うこともできる。これにより、操作端末２００を操作する第２ユーザ（オペレータ）は、プロンプターとして機能する据置型端末３の表示内容、および、メガネ型端末４の表示内容（レイアウトを含めた見え方）の両方を同時に把握しながら、スクロールやページ送りなどの操作をすることが可能になる。
【００６０】
（第２実施形態の変形例２）
例えばプロンプターとして機能する据置型端末３は、上述の第３画像または上述の第４画像を表示する形態であってもよい。この場合も、据置型端末３は、テキストデータの少なくとも一部である第１テキストデータを含む第１画像を表示していると考えることができる。
【００６１】
図１２の例では、表示制御部６０は、上述の第３画像または上述の第４画像を画像反転部７０に供給する。この画像反転部７０の機能は、上述の第１実施形態で説明した画像反転部２６の機能と同じであり、画像反転部７０は、第３画像または第４画像の左右を反転させた鏡像画像を生成し、生成した鏡像画像を据置型端末３へ供給する。上述の第１実施形態と同様に、据置型端末３の第３表示部３１は、画像反転部７０から供給された鏡像画像を表示し、据置型端末３の透過反射部３２は、第３表示部３１から射出された鏡像画像の情報を含む光の一部を反射して演者の方へ導く。鏡像画像は、ハーフミラーで反射することで左右が反転するので、演者に対しては、第３画像または第４画像の情報を含む光が伝達されるという具合である。
【００６２】
なお、図１２の例では、画像反転部７０は、操作端末２００や据置型端末３とは別に独立して設けられているが、これに限らず、例えば画像反転部７０は、操作端末２００に設けられてもよいし、据置型端末３に設けられてもよい。
【００６３】
以上、本発明の実施形態を説明したが、上述の実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら新規な実施形態やその変形は、発明の範囲や要旨に含まれるとともに、特許請求の範囲に記載された発明とその均等の範囲に含まれる。
【００６４】
なお、以上の各実施形態および各変形例は、任意に組み合わせることが可能である。
【符号の説明】
【００６５】
１    画像表示システム
２    操作端末
３    据置型端末
４    メガネ型端末
２１  入力部
２２  受付部
２３  第１抽出部
２４  第１生成部
２５  第２表示部
２６  画像反転部
２７  決定部
２８  第２抽出部
２９  第２生成部
【図１】
0006054333.tif 000002
【図２】
0006054333.tif 000003
【図４】
0006054333.tif 000004
【図６】
0006054333.tif 000005
【図７】
0006054333.tif 000006
【図８】
0006054333.tif 000007
【図９】
0006054333.tif 000008
【図１０】
0006054333.tif 000009
【図１２】
0006054333.tif 000010
【図３】
0006054333.tif 000011
【図５】
0006054333.tif 000012
【図１１】
0006054333.tif 000013